(57)【要約】【課題】  空気軸受の空気層の切れをなくし、焼き付きを防止する。【解決手段】空気軸受は、半円筒状部(1)付き上壁(2)を備えた中空箱体(4)よりなり、半円筒状部(1)に半径方向にのびる６つの貫通孔(5)が２列設けられている。中空箱体(4)に圧搾空気室(3)と連通する圧搾空気供給管(8)が接続せられ、圧搾空気を全貫通孔(5)より噴出せしめることにより、半円筒状部(1)とこれに受けられた軸(S)との間に空気層(A)が形成せられる。貫通孔(5)の先端部が拡大せられて半円筒状部(1)の外面に開口したくぼみ(10)となされ、貫通孔(5)にくぼみ(10)の底に達する噴出管(9)が密に嵌め入れられている。【選択図】    図１
0003104039.tif 000002
【実用新案登録請求の範囲】
【請求項１】
半円筒状部を有する上壁を備えかつ内部が圧搾空気室となされた中空箱体よりなり、半円筒状部にその半径方向にのびる２以上の貫通孔が半円周方向に左右対称にあけられるとともに、この貫通孔列が半円筒状部の長さ方向に複数列設けられ、中空箱体の上壁以外のいずれかの壁に孔があけられてこれに圧搾空気供給管が接続せられ、圧搾空気を全貫通孔より噴出せしめることにより、半円筒状部とこれに受けられた軸の下半部との間に空気層が形成せられ、この空気層で軸が支持せられる空気軸受において、貫通孔の径が所定の内径を有する噴出管の外径に等しくなされるとともに、貫通孔の先端部が拡大せられて半円筒状部の外面に開口したくぼみとなされ、貫通孔にくぼみの底に達する噴出管が密に嵌め入れられている空気軸受。
【請求項２】
半円筒状部を有する上壁を備えかつ内部が圧搾空気室となされた中空箱体よりなり、半円筒状部にその半径方向にのびる２以上の貫通孔が半円周方向に左右対称にあけられるとともに、この貫通孔列が半円筒状部の長さ方向に複数列設けられ、中空箱体の上壁以外のいずれかの壁に孔があけられてこれに圧搾空気供給管が接続せられ、圧搾空気を全貫通孔より噴出せしめることにより、半円筒状部とこれに受けられた軸の下半部との間に空気層が形成せられ、この空気層で軸が支持せられる空気軸受において、貫通孔の径が所定の内径を有する噴出管の外径に等しくなされるとともに、貫通孔の先端部が拡大せられて半円筒状部の外面に開口したくぼみとなされ、貫通孔にくぼみの底に達する噴出管が密に嵌め入れられており、くぼみが半円筒状部の外面に向けてテーパ状をなしている空気軸受。
【考案の詳細な説明】
【技術分野】
【０００１】
本考案は、空気軸受に関する。なお、この明細書において、内と外の方向は圧搾空気室を基準とし、圧搾空気室の内側を「内」といい、圧搾空気室の外側を「外」というものとする。
【背景技術】
【０００２】
半円筒状部を有する上壁を備えかつ内部が圧搾空気室となされた中空箱体よりなり、半円筒状部にその半径方向にのびる２以上の貫通孔が左右対称にあけられるとともに、この貫通孔列が半円筒状部の長さ方向に複数設けられ、箱体の上壁以外のいずれかの壁に孔があけられてこれに圧搾空気供給管が接続せられ、圧搾空気を全貫通孔より噴出せしめることにより、半円筒状部とこれに受けられた軸の下半部との間に空気層が形成せられ、この空気層で軸が支持せられる空気軸受は従来から知られている。
【特許文献１】特公昭５７−５６５９４号公報
【特許文献２】特公昭６１−８２９２号公報
【考案の開示】
【考案が解決しようとする課題】
【０００３】
上記空気軸受における空気層は、圧搾空気により形成されているから、空気軸受に受けられている軸の振動または外部からの振動の影響を受け易く、しかも空気層の厚さがきわめて薄く０．１ｍｍを超えないようなものであるところに、貫通孔が細くあけにくいことにより全貫通孔の径が必ずしも同一にならないことに起因して、全貫通孔から噴出する圧搾空気量が相互に不均一となることが重なり、空気層が切れて空気軸受の半円筒状部に軸が接触し、頻繁に焼き付きが発生するという問題もあった。
【０００４】
本考案は、空気層が切れないようにし、以って焼き付きが発生しない空気軸受を提供するにある。
【課題を解決するための手段】
【０００５】
請求項１の考案による空気軸受は、半円筒状部を有する上壁を備えかつ内部が圧搾空気室となされた中空箱体よりなり、半円筒状部にその半径方向にのびる２以上の貫通孔が半円周方向に左右対称にあけられるとともに、この貫通孔列が半円筒状部の長さ方向に複数列設けられ、中空箱体の上壁以外のいずれかの壁に孔があけられてこれに圧搾空気供給管が接続せられ、圧搾空気を全貫通孔より噴出せしめることにより、半円筒状部とこれに受けられた軸の下半部との間に空気層が形成せられ、この空気層で軸が支持せられる空気軸受において、貫通孔の径が所定の内径を有する噴出管の外径に等しくなされるとともに、貫通孔の先端部が拡大せられて半円筒状部の外面に開口したくぼみとなされ、貫通孔にくぼみの底に達する噴出管が密に嵌め入れられているものである。
【０００６】
請求項２の考案による空気軸受は、半円筒状部を有する上壁を備えかつ内部が圧搾空気室となされた中空箱体よりなり、半円筒状部にその半径方向にのびる２以上の貫通孔が半円周方向に左右対称にあけられるとともに、この貫通孔列が半円筒状部の長さ方向に複数列設けられ、中空箱体の上壁以外のいずれかの壁に孔があけられてこれに圧搾空気供給管が接続せられ、圧搾空気を全貫通孔より噴出せしめることにより、半円筒状部とこれに受けられた軸の下半部との間に空気層が形成せられ、この空気層で軸が支持せられる空気軸受において、貫通孔の径が所定の内径を有する噴出管の外径に等しくなされるとともに、貫通孔の先端部が拡大せられて半円筒状部の外面に開口したくぼみとなされ、貫通孔にくぼみの底に達する噴出管が密に嵌め入れられており、くぼみが半円筒状部の外面に向けてテーパ状をなしているものである。
【０００７】
上記において、くぼみの口径を噴出管の内径の１０〜２０倍となすことが好ましい。
【考案の効果】
【０００８】
本考案の空気軸受によれば、貫通孔の径が所定の内径を有する噴出管の外径に等しくなされるとともに、貫通孔の先端部が拡大せられて半円筒状部の外面に開口したくぼみとなされ、貫通孔にくぼみの底に達する噴出管が密に嵌め入れられているから、全噴出管より噴出する圧搾空気量が相互に均一になり、さらに全噴出管の噴出先にあるくぼみにより、この部分に厚い空気層が生じるので、全体としては厚さがきわめて薄い空気層に切れ目の発生することがない。
【考案を実施するための最良の形態】
【０００９】
本考案を実施するための最良の形態を、以下図面を参照して説明する。
【００１０】
図示の空気軸受は、半円筒状部(1)を有する上壁(2)を備えかつ内部が圧搾空気室(3)となされた中空箱体(4)よりなり、半円筒状部(1)にその半径方向にのびる６つの貫通孔(5)が３つずつ半円周方向に所定間隔をおいて左右対称にあけられるとともに、この貫通孔列が半円筒状部(1)の長さ方向に所定間隔をおいて２列設けられている。中空箱体(4)の一側壁(6)に孔(7)があけられてこれに圧搾空気供給管(8)が接続せられ、圧搾空気を全貫通孔(5)より噴出せしめることにより、半円筒状部(1)とこれに受けられた軸(S)の下半部との間にきわめて薄い厚さの空気層(A)が形成せられ、この空気層(A)で軸(S)が支持せられるようになされている。そして、貫通孔(5)の径は、所定の内径を有する噴出管(9)の外径に等しくなされるとともに、貫通孔(5)の先端部がテーパ状に拡大せられて半円筒状部(1)の外面に開口したくぼみ(10)となされており、貫通孔(5)にはくぼみ(10)の底に達する噴出管(9)が密に嵌め入れられている。噴出管(9)の基端は、半円筒状部(1)の内面に一致しているが、半円筒状部(1)の内面から若干圧搾空気室(3)内に突出していてもよい。くぼみ(10)の口径(D)は、噴出管(9)の内径(d)の１５倍となされている。
【００１１】
半円筒状部(1)に軸(S)の下半部が受けられると、半円筒状蓋(11)が軸(S)の上半部に被せられ、半円筒状蓋(11)の両下縁に設けられた翼部(12ａ)が上壁(2)にボルト・ナット(12)で締め止められる。
【００１２】
なお、この実施形態において、軸(S)は具体的には筒型撚線機の筒体前部である。
【図面の簡単な説明】
【００１３】
【図１】本考案による空気軸受の横断面図である。
【図２】図１のII−II線にそう断面図である。
【図３】要部の拡大断面図である。
【図４】図３のIV−IV線矢視図である。
【符号の説明】
【００１４】
１  半円筒状部
２  上壁
３  圧搾空気室
４  中空箱体
５  貫通孔
６  一側壁
７  孔  
８  圧搾空気供給管
９  噴出管
１０  くぼみ    
Ａ  空気層 
Ｓ  軸
Ｄ  くぼみの口径
ｄ  噴出管の内径
【図１】
0003104039.tif 000003
【図２】
0003104039.tif 000004
【図３】
0003104039.tif 000005
【図４】
0003104039.tif 000006